(57)【特許請求の範囲】
【請求項１】
内部に積層して収納されるフイルムユニットに露光を与えるための露光開口と、その露光開口に対して直交する面に形成されたスリット状の排出口とをもったインスタントフイルムパックに用いられ、通常は前記露光開口を光密に閉じており、フイルムパックがカメラに装填された後にカメラ側のクロー部材の掻き出し動作によって前記排出口から排出されるとともに、排出口から排出されるときに次層のフイルムユニットが一緒に排出されるのを防止するためのフイルムユニット連れ出し防止手段が設けられたインスタントフイルムパック用遮光カバーにおいて、
前記フイルムユニット連れ出し防止手段は、凹面を露光開口側に向けて形成されたディンプル部と、そのディンプル部の逆面に突出した丸み部に排出方向に沿って立設されたリブとから構成されていることを特徴とするインスタントフイルムパック用遮光カバー。
【請求項２】
前記ディンプル部とリブとは、排出口のスリット幅よりも長い厚みとなっていることを特徴とする請求項１記載のインスタントフイルムパック用遮光カバー。
【請求項３】
前記クロー部材が前駆フイルムパックの内部に入り込むために前記フイルムパックの底面で、且つ幅方向の一端に形成した切欠を遮光するための遮光フイルムが貼着された請求項１記載のインスタントフイルムパック用遮光カバーにおいて、
前記遮光フイルムには、遮光カバーの幅方向の一端から外にはみ出され、且つ前記フイルムパックの内部ではみ出し部分が前記露光開口とは逆側に向けて折り曲げられるスカート部が設けられていることを特徴とする請求項１又は２記載のインスタントフイルムパック用遮光カバー。
【発明の詳細な説明】
【０００１】
【発明の属する技術分野】
本発明は、厚み方向に変位して抵抗力をうけながら排出されるインスタントフイルムパック用遮光カバーに関するものである。
【０００２】
【従来の技術】
インスタントカメラに装填して使用されるインスタントフイルムパック（以下フイルムパックという）が知られている。このフイルムパックは、例えば特開平７−２０９８１４号公報に記載されているように、箱状をしたハードプラスチック性の遮光容器（ハードケース）の中に矩形状をしたモノシートタイプの自己現像処理型フイルムユニット（以下、フイルムユニットという）を複数枚重ねて収納したものがある。
【０００３】
このフイルムユニットは、露光部、現像処理液ポッド、及びトラップ部とを持っている。露光部は、露光面となる感光層、白色の拡散反射層、及びバック面となる受像層とから構成されている。現像処理液ポッドは、露光部に対して排出方向側に設けられ、現像処理液が封入されている。感光層と受像層との間に現像処理液が展開されると、感光層に記録された潜像が拡散反射層を通してポジ像として受像層に転写される。受像層に転写された像は、露光面とは反対側の面からポジ像として観察される。トラップ部は、露光部に対して排出方向の逆側に設けられ、現像処理液ポッドから感光層と受像層との間に展開して余った現像処理液を捕捉して硬化させる。
【０００４】
フイルムパックには、カメラに装填されたときに被写体光をフイルムユニットの露光部に入射させるための露光開口が形成されている。この露光開口は、通常はフイルムユニットの最上層に載せられた遮光カバーによって遮光されている。この遮光カバーは、カメラ側での最初のクロー部材の掻き出し動作によって露光開口を設けた面に直交する面に設けられた排出口から排出される。
【０００５】
このフイルムパックから排出された遮光カバーは、上端がカメラ内部に配置された一対の展開ローラの間に送り込まれた後、展開ローラの回動によってカメラの上面に設けられた取出口から外部に排出される。遮光カバーが排出されると、最上層のフイルムユニットが露光開口にセットされる。
【０００６】
フイルムユニットは、撮影毎に、クロー部材の掻き出し動作によって掻き出される。掻き出されたフイルムユニットは、同様に展開ローラにニップされて取り出し口に向かって送られる。その際に展開ローラによってフイルムユニットの露光面に現像処理液が展開されて、現像処理が行われる。そして、次層のフイルムユニットが最上層に押し上げられて露光開口にセットされる。
【０００７】
ところで、フイルムユニットを、展開時に厚み方向に変位させて現像処理液の通路を厚み方向に圧縮すると現像処理液の展開性が良好となることに着目し、フイルムユニットを厚み方向に変位させながら排出させる構造をもったカメラが望まれている。このカメラの構造としては、フイルムパックの排出口と展開ローラとの間に展延制御部材を設ける点、また、展開ローラと取出口との間の通路を傾斜させる点とが考えられている。
【０００８】
展延制御部材としては、フイルムパックの排出口から排出されたフイルムユニットの現像処理液ポッドをバック面側から押圧するように配置するのが望ましい。また、展開ローラと取出口との間の通路は、フイルムユニットの露光面側が露光開口側の展開ローラに多く巻き付くように傾斜させるのが好適である。
【０００９】
【発明が解決しようとする課題】
上述したカメラでは、いずれの場合も遮光カバーが厚み方向に変位しながら排出される。従って、遮光カバーの厚みが厚いと屈曲しないから、カメラの展開ローラを駆動させる駆動に大きな負荷を与え、駆動用の電池の消耗が大きくなるという問題があった。そこで、遮光カバーの厚みを薄くすると、弾性自在となり厚み方向への変形が容易になり展開ローラを通過時に与える負荷を抑えることができるのに対し、遮光カバーがフイルムパックの排出口を通過するときに排出口との間に大きな隙間が生じ、遮光カバーの排出につられて次層のフイルムユニットが一緒に排出されてしまうフイルムユニットの連れ出しが発生する恐れがある。
【００１０】
また、フイルムパックには、クロー部材が出入りするために、底面から露光開口を形成した面にかけて断面Ｌ字状の切欠が形成されている。従来、この切欠を遮光するために、遮光カバーの下端に黒色の遮光フイルムをその一部が遮光カバーの下端から下方に向けてはみ出すように貼り付け、そのはみ出した部分で切欠の底面側を遮光していた。しかしながら、遮光カバーを薄くすると、厚み方向に変形し易くなる。厚み方向に変形すると、フイルムパックの側面内壁と遮光カバーの幅方向（排出方向に直交する方向）の端との間に隙間が生じる。切欠は、フイルムパックの幅方向の端寄りに形成されているため、前述した隙間が生じると切欠の端から外光が入射してフイルムユニットの露光面が露光される恐れがある。
【００１１】
本発明は上記事情を考慮してなされたもので、遮光カバーの厚みを薄くすることで生じるフイルムユニットの連れ出しを防止したインスタントフイルムパック用遮光カバーを提供することを目的とする。また、第２の目的としては、薄くすることで生じる切欠の遮光不良を防止するようにしたインスタントフイルムパック用遮光カバーを提供することを目的とする。
【００１２】
【課題を解決するための手段】
上記目的を達成するにあたり、本発明のインスタントフイルムパック用遮光カバーでは、フイルムパックがカメラに装填された後にカメラ側のクロー部材の掻き出し動作によって排出口から排出されるときに、次層のフイルムユニットを一緒に排出してしまうのを防止するフイルムユニット連れ出し防止手段を備え、そのフイルムユニット連れ出し防止手段は、凹面を露光開口側に向けて設けられたディンプル部と、そのディンプル部の逆面に突出した丸み部に、排出方向に沿って立設されたリブとから構成したものである。
【００１３】
請求項２記載の発明では、ディンプル部とリブとの厚み長さを、排出口のスリット幅よりも長くしたものである。請求項３記載の発明では、クロー部材が入り込むための切欠を遮光するための遮光フイルムに、遮光カバーの幅方向の一端から外にはみ出され、且つフイルムパックの内部ではみ出し部分が前記露光開口とは逆側に向けて折り曲げられるスカート部を設けたものである。
【００１４】
【発明の実施の形態】
本発明のフイルムパックの構造を示す図２において、フイルムパック１０は、ケース本体１１と蓋１２とからなるケースの中に、遮光カバー１３、複数枚のフイルムユニット１４、及び遮光シート１５を収納した構成となっている。
【００１５】
ケース本体１１は、プラスチック材料で形成されており、前面には、被写体光をフイルムユニット１４へ露光させるための露光開口１８が形成されている。露光開口１８には、周知のクロー部材が入り込む切欠１９が設けらている。また、ケース本体１１の上面には、露光済のフイルムユニット１４を排出するためのスリット状の排出口２０が形成されている。この排出口２０からは、フイルムユニット１４の他、遮光カバー１３も排出される。この排出口２０は、軟質の遮光シール２１で外部から塞がれている。遮光シール２１は、遮光カバー１３、及びフイルムユニット１４の排出を邪魔することないように、排出口２０の長辺側の一縁だけが貼り付けられている。遮光カバー１３は、露光開口１８に最初にセットされるフイルムユニット１４の上に重ねられており、露光開口１８を塞いでいる。
【００１６】
フイルムユニット１４は、露光部１４ａ、現像処理液ポッド１４ｂ、及びトラップ部１４ｃとを持っている。露光部１４ａは、露光面となる感光層、白色の拡散反射層、及びバック面となる受像層とから構成されている。現像処理液ポッド１４ｂは、露光部１４ａに対して排出方向側に設けられ、現像処理液が封入されている。感光層と受像層との間に現像処理液が展開されると、感光層に記録された潜像が拡散反射層を通してポジ像として受像層に転写される。受像層に転写された像は、露光部１４ａとは反対側の面からポジ像として観察される。トラップ部１４ｃは、露光部１４ａに対して排出方向の逆側に設けられ、現像処理液ポッド１４ｂから感光層と受像層との間に展開して余った現像処理液を捕捉して硬化させる。露光部１４ａの厚みは、現像液ポッド１４ｂ及びトラップ部１４ｃよりも薄くなっている。このフイルムユニット１４は、最後まで１枚のシートとして取り扱うことができる縦長矩形をしたモノシートタイプとなっており、本実施形態では長辺（上下）方向に沿って排出される。
【００１７】
蓋１２もプラスチック材料で形成されている。その蓋１２には、２つの孔１２ａ，１２ｂと、２つのユニット支持突起１２ｃ，１２ｄとが設けられており、露光開口１８に対峙するようにケース本体１１に取り付けられる。２つの孔１２ａ，１２ｂは、蓋１２の上下に所定間隔離して設けられおり、カメラに装填されたときにカメラ側に設けた押し上げ部材がパック１０の内部に向けて入り込むときの入口となる。
【００１８】
ユニット支持突起１２ｃ，１２ｄは、蓋１２の両側端部に縦長にそれぞれ設けられており、露光開口１８に向けて円弧状に突出した形状となっている。これらのユニット支持突起１２ｃ，１２ｄは、最下層のフイルムユニット１４の裏面に当接し、フイルムユニット１４をその中央部を露光開口１８に向けて凸にした円弧状に押し上げており、不用意な取り扱いにより遮光カバー１３が外部から露光開口１８を通して蓋１２に向けて押された場合、露光開口１８と遮光カバー１３との間に生じる隙間を狭くしてその隙間から進入する外光によってフイルムユニット１４が露光することを未然に防止する。
【００１９】
遮光シート１５は、弾性を有するプラスチック製の２枚のシート２３，２４からなる。一方のシート２３は、中央部が蓋１２に取り付けられ、カメラに装填される前では蓋１２の２つの孔１２ａ，１２ｂを遮蔽し、また、その中央両端に切り欠き部２３ａ，２３ｂをもっており、装填後にはカメラ側の押し上げ部材の押し上げにより両端のユニット支持突起１２ｃ，１２ｄとの間で、上下端が露光開口１８に向けて弾性屈曲して他方のシート２４を介してフイルムユニット１４を露光開口１８に向けて押し上げる。カメラ側の押し上げ部材の押し上げによってこれらのシート２３，２４は、露光部１４ａよりも現像処理液ポッド１４ｂ、及びトラップ部１４ｃ側の背後を押すために、上下端が露光開口１８に向けて屈曲した形状となる。
【００２０】
他方のシート２４は、下端が一方のシート２３の下端部２３ｃ（ハッチングを示した範囲）に取り付けられており、一方のシート２３の弛みを防ぎ、また孔１２ａ，１２ｂからの光洩れを防止するとともに、カメラ側の押し上げ部材により一方のシート２３が弾性屈曲したときに、フイルムユニット１４を略平面的に押し上げる作用をする。
【００２１】
遮光カバー１３は、プラスチック材料のうち、薄い厚みで、且つ高い柔軟性を得るためにカーボンブラック含有のポリスチレンの材料で薄板状に形成されている。カーボンブラックの濃度が多くなると強度が不足し、カーボンブラックの濃度が少なくなると遮光性が不足する。また、遮光カバー１３の肉厚が増すと柔軟性が不足し、肉厚が少なくなると成形不良が発生しやすくなる。そこで、強度，遮光性，柔軟性，成形性等を考慮して場合、遮光カバー１３の厚みを０．３〜０．４５ｍｍの範囲とし、カーボンブラックの添加量を０．５〜１．１％の範囲とした。
【００２２】
遮光カバー１３の前面３０（露光開口に露呈される面）には、図３に示すように、ディンプル部３１，３２、及び遮光リブ３３〜３６が一体に形成されている。ディンプル部３１，３２は、上方（排出方向の先端）の両端にそれぞれ凹面形状で２つ形成されている。遮光リブ３３〜３６は、排出方向に沿って細幅帯状に伸ばして形成した４つのリブで構成されている。そのうち２つのリブ３３，３４は、遮光カバー１３の幅方向の一端に所定間隔離して形成されている。他方の２つのリブ３４，３５は、遮光カバー１３の幅方向の他端に所定間隔離して形成されている。
【００２３】
各２つのリブ３３〜３６は、図４に示すように、一方の一対のリブ３３，３４のうちリブ３３が露光開口１８の幅方向の一縁の内壁に形成された溝３７に入り込み、リブ３４が露光開口１８の内部の一縁の近傍に位置して溝３７とともにラビリンス構造を構成し、また、露光開口１８の逆側ではリブ３６が露光開口１８の幅方向の他方縁の内壁に形成された溝３８に入り込み、リブ３５が露光開口１８の内部の一縁の近傍に位置して溝３８とともにラビリンス構造を構成することから、遮光カバー１３が厚み方向に変形したときに露光開口１８の両端に隙間が生じて隙間から外光が内部に入射するのを防止する。
【００２４】
遮光カバー１３の裏面４０には、図５に示すように、ディンプル部３１，３２に対応した位置に、その凹面に沿って突出した丸み部４１，４２が設けられている。丸み部４１，４２には、メインリブ４３，４４と補助リブ４５，４６とがそれぞれ一体に形成されている。ディンプル部３１，３２は、図６に示すように、遮光カバー１３と略同じか、これよりも薄い厚みで形成されている。補助リブ４５，４６は、丸み部４１，４２の頂点上に排出方向に沿って細幅帯状に形成されており、その先端は、遮光カバー１３の上端近傍に位置し、下端は丸み部４１，４２のすそ野を超えた位置までの長さとなっている。メインリブ４３，４４は、丸み部４１，４２の頂上から内側にずれたすそ野上に排出方向に沿って細幅帯状に形成されており、その長さは先端が補助リブ４５，４６よりも低い位置で、また下端が補助リブ４５，４６よりも長い位置までの長さとなっている。補助リブ４５，４６及びメインリブ４３，４４は、リブ自身の高さは略同じになっており、丸み部４１，４２に設けた位置での高さの違いにより、補助リブ４５，４６の方が高くなっている。
【００２５】
図１及び図８に示すように、遮光カバー１３の表面３０から補助リブ４５，４６の頂点までの厚み長さＡは、排出口２０の基準スリット幅Ｂの長さよりも長くなっている。これにより、ディンプル部３１，３２及び補助リブ４５，４６は、遮光カバー１３の厚みを薄くすることで遮光カバー１３を排出するときに次層にあるフイルムユニット１４も一緒に連れ出すフイルムユニットの連れ出しを防止する手段を構成している。しかも、フイルムユニットの連れ出し防止手段にディンプル部３１，３２を構成することで、例えばフイルムユニットの連れ出し防止手段をリブだけで構成したものと比較して、カメラ側の展開ローラーで展開されたときにディンプル部３１，３２が潰れる分だけ展開ローラー用の駆動機構に与える負荷を軽減することができる。
【００２６】
排出口２０は、現像処理液ポッド１４ｂの厚みよりも僅かに広いスリット幅で形成されている。このスリット幅が基準スリット幅である。本実施形態では、補助リブ４５，４６が通過する部分５０，５１を基準スリット幅Ｂよりも蓋１２の側に僅かに広くして遮光カバー１３の排出をスムーズにし、且つ、中央部分５２のスリット幅も基準スリット幅Ｂよりも蓋１２の側に広くして、ユニット支持部材１２ｃ，１２ｄの両端の押圧等により遮光カバー１３やフイルムユニット１４が幅方向において中央部が蓋１２の側に向けて凸となる円弧状に反ってもこれらの排出がスムーズに行えるようにしている。
【００２７】
補助リブ４５，４６が通過する部分５０，５１と中央部分５２との間の部分５３，５４が本実施例では基準スリット幅Ｂとなっている。この部分５３，５４は、遮光カバー１３のメインリブ４３，４４が通過する範囲に対応している。遮光カバー１３の表面３０からメインリブ４３，４４の頂点までの厚み長さは、基準スリット幅Ｂよりも僅かに短い長さとなっている。これらメインリブ４３，４４とその両外側にある補助リブ４５，４６とは排出口２０の側から見て高さが段ちになっており、またこれらに対峙する排出口２０の間口形状も段ちになっている。さらにこれらがフイルムユニット１４の幅方向の両端にそれぞれ配置されていることから、ディンプル部３１，３２及び補助リブ４５，４６だけでフイルムユニット連れ出し防止手段を構成するのと比較して、フイルムユニット１４の連れ出し防止が強固に行える。
【００２８】
遮光カバー１３の裏面４０には、カメラ側のクロー部材が係合される下端部５５（図５参照）に、短冊状の遮光フイルム５６が貼り付けられている。遮光フイルム５６は、遮光カバー１３の下端から一部５７をはみ出して貼り付け、はみ出した一部５７をＬ字状に蓋１２の側に向けて折り曲げてここで切欠１９の底面側を遮光する。この遮光フイルム５６は、遮光カバー１３が厚み方向に弾性変形したときに、幅方向の両端に隙間が生じ、切欠１９から隙間通って外光が内部に入射するのを防止するために、遮光カバー１３の幅方向の一端から細幅ではみ出したスカート部５８を設け、そのスカート部５８を蓋１２の側に向けてＬ字状に折り返している。そして、スカート部５８には、Ｌ字状に折り返された一部５７まで伸ばして設けられており、一部５７の折り曲げ境界に切れ目５９が設けられ、スカート部５８を折り込みし易くしている。このスカート部５８が通過する排出口２０の部分６０は、図９に示したように、基準スリット幅Ｂよりも広い幅となっている。
【００２９】
図１０に示すように、一対の展開ローラ６５，６６は、カメラの内部のフイルムパック収納室の上に配置されている。展開ローラ６５は、その接線上にフイルムパック１０の排出口２０が位置するように配置されており、軸に駆動用のモータの駆動力が伝達されて一定位置で回動される。一対の展開ローラ６５，６６は、図示していないスペーサーにより所定間隔を保って配置されている。展開ローラ６６は、フイルムユニット１４の厚み方向に変位可能に設けられており、バネ６７でスペーサーに向けて付勢されている。一対の展開ローラ６５，６６のスペーサー間隔は、現像処理液ポッド１４ｂの厚みや、遮光カバー１３の表面３０から補助リブ４５，４６の頂点までの厚み長さＡよりも狭い。
【００３０】
ところで、フイルムユニット１４では、現像処理液ポッド１４ｂからの現像処理液の押し出し及び展開は、展開ローラ６５，６６の間を通る際に行われるが、その際に現像処理液の流れを制御しておけば、画面全体に均等に現像処理液を分布させることができる。そこで、展開時にフイルムユニット１４を厚み方向に変位させて現像処理液の通路を圧縮することで、現像処理液の流れを制御できることに着目し、排出口２０と展開ローラ６５、６６との間に前記接線を妨げるシゴキガイド６８を設け、フイルムユニット１４を厚み方向に変位させながら排出させる通路を構成している。
【００３１】
次に上記構成の作用を説明する。フイルムパック１０は、図１１に示すように、未使用状態で、露光開口１８が遮光カバー１３で、また、排出口２０が遮光シール２１で、さらに孔１２ａ，１２ｂがシート２３で、さらにまた、切欠１９が遮光フイルム５６でそれぞれ塞がれ、内部が遮光されている。また、最下層のフイルムユニット１４の裏面両端にはユニット支持突起１２ｃ，１２ｄが当接している。フイルムユニット１４は、露光部１４ａの方が現像処理液ポッド１４ｂ、及びトラップ部１４ｃより厚みが薄いから、円弧状のユニット支持突起１２ｃ，１２ｄの当接により、最下層側の数枚のフイルムユニット１４が中央部を露光開口１８に向けて凸にした円弧状に反った状態となる。
【００３２】
フイルムパック１０をカメラのフイルム装填室に装填すると、図１２に示すように、孔１２ａ，１２ｂからカメラ側の押し上げ部材７０，７１が入り込んでシート２３を露光開口１８に向けて押し上げる。これにより、シート２３，２４は、最下層のフイルムユニット１４の背後に押し付けられ、中央部を露光開口１８に向けて凸にした円弧状に反った状態となる。
【００３３】
フイルムパック１０をカメラのフイルム装填室に装填した後、撮影準備のためにシャッタレリーズを行うと、図１０に示すように、クロー部材７２が切欠１９に入り込み、遮光カバー１３の後端隅部に係合し、その後のクロー部材７２の掻き出し操作により同図に示す矢印方向に向けて移動して遮光カバー１３が排出口２０に向けて排出される。このとき、ディンプル部３１，３２と補助リブ４５，４６との厚みにより次層のフイルムユニット１４の現像処理液ポッド１４ｂが排出口２０から見たときに隠れているので、一緒に連れ出されても排出口２０の縁に当接して連れ出しが防止される。遮光カバー１３の上端が遮光シール２１を押し上げて、排出口２０から所定の長さ排出されたときには、クロー部材７２が次層のフイルムユニット１４のトラップ部１４ｃに対応する位置を通過し、そのトラップ部１４ｃが押し上げ部材７０，７１の押し上げにより露光開口１８を形成した面の内壁に当接し、ここで押さえられるから、ディンプル部３１，３２、及び補助リブ４５，４６が排出口２０を通過した後にはフイルムユニット１４の連れ出しが生じる恐れがない。
【００３４】
排出された遮光カバー１３は、シゴキガイド６８の先端に当接して、露光開口１８の側とは逆側の面を先端に擦り付けながら、展開ローラ６５に向けて緩やかに湾曲しながら送られる。遮光カバー１３の先端が展開ローラ６５の外周面に当接すると、遮光カバー１３は、展開ローラ６５の回動に従って展開ローラ６６に向けて反対側に緩やかに湾曲されて展開ローラ６５，６６の間に送られる。
【００３５】
展開ローラ６５，６６に送られた遮光カバー１３は、先端の一対のディンプル部３１，３２が展開ローラ６５，６６の間隔に対応する厚みまで潰されながら送られる。これにより、シゴキガイド６８を支点として弓形に厚み方向に変位されながら、傾斜した通路７５に排出される。この傾斜した通路７５を通った遮光カバー１３は、展開ローラ６５の外周に多く巻き付くようにに変形されながら、カメラの取り出し口７６を通って外部に排出される。このとき、遮光フイルム５６のスカート部５８は、遮光カバー１３から幅方向の一方にＬ字状に屈曲しているが、排出口２０に設けた広いスリット幅６０を通るから、引っかかることなく、スムーズに排出することができる。これにより、次のフイルムユニット１４が露光開口２０にセットされて撮影の準備が完了する。
【００３６】
遮光カバー１３は、シゴキガイド６８、及び傾斜した通路７５によって弓形に厚み方向に変位されるため、反発力が発生してこれが排出時の抵抗となるのに対し、本実施形態の遮光カバー１３では、従来よりも厚みが薄いため反発力が小さく、抵抗力が小さい。しかも、フイルムユニット連れ出し防止手段を構成するディンプル部３１，３２が潰れるから、展開ローラ６５，６６を回動するためのモータの駆動トルクが小さくても遮光カバー１３を確実に排出することができる。そのため、展開ローラ６５，６６を回動させるモータを駆動させる電池の消耗が従来よりも少なくなる。
【００３７】
撮影は、シャッタレリーズを行う。露光完了後、展開ローラ６５，６６は、クロー部材７２の掻き出し動作とほぼ同時に回動を開始する。クロー部材７２で、露光済のフイルムユニット１４の上端が排出口２０から所定長送り出されると、シゴキガイド６８の先端に当接し、その先端が展開ローラ６５に向けて傾斜して排出されるので、フイルムユニット１４は反露光面をシゴキガイド６８の先端に擦りながら、展開ローラ６５に緩やかに湾曲しながら送られる。フイルムユニット１４の先端が展開ローラ６５の外周面に当接すると、フイルムユニット１４は、展開ローラ６５の回転に従って展開ローラ６６に向けて反対側に緩やかに湾曲されて展開ローラ６５，６６の間に送られる。フイルムユニット１４は、シゴキガイド６８を支点として弓形に厚み方向に変位し、しかも、傾斜した通路７５により露光面側に対応する展開ローラ６５の外周に多く巻き付けられながらカメラの取り出し口７６から外部に排出されるため、展開性が良好となる。
【００３８】
展開ローラ６５，６６の間を通る際に、展開ローラ６６で現像処理液ポッド１４ｂが加圧され、そこから現像処理液が押し出されるが、フイルムユニット１４を弓形に厚み方向に変位させているから、現像処理液の通路が圧縮し、現像処理液の流量を制御しながら展開することができる。余剰現像処理液はトラップ部１４ｃに捕捉されて硬化する。なお、展開ローラ６５，６６の間でフイルムユニット１４が挟まれている間はフイルムユニット１４に一定のテンションがかけられるので、フイルムユニット１４は安定して送られる。また、シゴキガイド６８が当接するのはフイルムユニット１４の反露光面なので品質等を劣化させることはない。
【００３９】
【実施例】
次に、遮光フイルム５６の貼り付け形態、及びスカート部５８の有無との条件を変えてフイルムパック１０の内部遮光性についての実験を行った結果を表１に示す。
【００４０】
【表１】
0003653397.tif 000002
【００４１】
判定は、フイルムパック１０に収納したフイルムユニット１４へのカブリの有無を調査し、カブリ無しを〇、カブリ有りを△で表示した。条件１及び２では、遮光カバー１３の表面３０に遮光フイルム５６を貼るため、遮光フイルム５６の一部が遮光リブ３３の上に貼り付けられ、これにより隙間が生じて切欠１９から外光が入射するものがあった。条件３では、一部のフイルムユニット１４が切欠１９に相当する部分が余白から１ｍｍ程度のカブリが認められた。この結果から、遮光フイルム５６の貼り付け面は、リブ等の凹凸さえなければ表面３０、又は裏面４０のどちでも支障がないことが分かった。また、スカート部５８は、無いとカブリが発生することが分かった。
【００４２】
【発明の効果】
以上のように、本発明のインスタントフイルムパック用遮光カバーには、ディンプル部を設けたから、カメラ側の展開ローラで展開されたときにリブとディンプル部とを加算した厚みでもディンプル部が潰れて展開ローラを駆動させる機構に負荷をかけることがなく、従って、展開ローラの駆動機構の駆動トルクを下げることができ、これに伴ってカメラ側の駆動機構のコストダウンを図ることができる。また、請求項２記載の発明では、ディンプル部とリブとの厚み長さを排出口のスリット幅長さよりも長くしたから、排出口側から見たときに次層のフイルムユニットが隠れているので確実にフイルムユニットの連れ出しを防止することができる。請求項３記載の発明では、遮光カバーの幅方向の一端から外部にはみ出したスカート部を遮光フイルムに設けたから、遮光カバーが厚み方向に変形してても確実に切欠を遮光することができる。
【図面の簡単な説明】
【図１】本発明の遮光カバーとフイルムパックとを示した縦断面図である。
【図２】フイルムパックの分解斜視図である。
【図３】表面から見た遮光カバーの斜視図である。
【図４】遮光カバーの遮光リブが露光開口を遮光する構造を示したフイルムパックの横断面図である。
【図５】裏面から見た遮光カバーの斜視図である。
【図６】ディンプル部を示す遮光カバーの縦断面図である。
【図７】補助リブを示す遮光カバーの縦断面図である。
【図８】遮光カバーと排出口との関係を示すフイルムパックの横断面図である。
【図９】遮光フイルムと排出口との関係を示すフイルムパックの横断面図である。
【図１０】遮光カバーを排出するときのフイルムパックを示した縦断面図である。
【図１１】未使用状態のフイルムパックを示した縦断面図である。
【図１２】カメラに装填された後にフイルムパックを示した縦断面図である。
【符号の説明】
１０  フイルムパック
１３  遮光カバー
２０  排出口
３１，３２  ディンプル部
３３〜３６  遮光リブ
４３，４４  メインリブ
４５，４６  補助リブ
５６  遮光フイルム
５８  スカート部
【図１】
0003653397.tif 000003
【図２】
0003653397.tif 000004
【図３】
0003653397.tif 000005
【図４】
0003653397.tif 000006
【図５】
0003653397.tif 000007
【図６】
0003653397.tif 000008
【図７】
0003653397.tif 000009
【図８】
0003653397.tif 000010
【図９】
0003653397.tif 000011
【図１０】
0003653397.tif 000012
【図１１】
0003653397.tif 000013
【図１２】
0003653397.tif 000014